(57)【特許請求の範囲】
【請求項１】
貨幣が入金され、指定された貨幣を出金する貨幣処理装置であって、
金種に応じて複数設けられ、出金のために準備された貨幣を収納するための出金庫と、
入金された貨幣を収納するための入金庫と、
出金中において出金すべき金種の貨幣が不足する場合には、前記入金庫から当該金種の貨幣を不足分だけ引き出して出金する出金手段と、
を含むことを特徴とする、貨幣処理装置。
【請求項２】
前記入金庫は、異なる金種の貨幣を混在状態で収納することができ、
前記出金手段によって所望の金種の貨幣が前記入金庫から引き出されるまでの間、前記入金庫内の他の金種の貨幣を前記出金庫に一時的に退避させる退避手段を含むことを特徴とする、請求項１記載の貨幣処理装置。
【請求項３】
前記入金庫には、貨幣が金種に応じて分けて収納されることを特徴とする、請求項１記載の貨幣処理装置。
【請求項４】
貨幣が入金され、指定された貨幣を出金する貨幣処理装置であって、
金種に応じて複数設けられ、出金のために準備された貨幣を収納するための出金庫と、
入金された貨幣を収納するための入金庫と、
入出金動作の行われていない待機中において、前記出金庫における貨幣の有り高が所定量未満であれば、当該出金庫の貨幣と同一金種の貨幣を前記入金庫から引き出して当該出金庫に補充する補充手段と、
を含むことを特徴とする、貨幣処理装置。
【請求項５】
前記入金庫は、異なる金種の貨幣を混在状態で収納することができ、
前記補充手段によって所望の金種の貨幣が前記入金庫から引き出されるまでの間、前記入金庫内の他の金種の貨幣を前記出金庫に一時的に退避させる退避手段を含むことを特徴とする、請求項４記載の貨幣処理装置。
【請求項６】
前記入金庫には、貨幣が金種に応じて分けて収納されることを特徴とする、請求項４記載の貨幣処理装置。
【請求項７】
前記入金庫から貨幣が引き出された場合に、引き出された貨幣と同額の貨幣を前記出金庫から引き出して前記入金庫に払い込む機内両替手段を含むことを特徴とする、請求項１〜６のいずれかに記載の貨幣処理装置。
【発明の詳細な説明】
【技術分野】
【０００１】
この発明は、貨幣の入出金を行うことができる貨幣処理装置に関する。
【背景技術】
【０００２】
従来より、貨幣処理装置として、入金された貨幣を受け入れて、指定された金種の貨幣を出金する両替処理を行うものが知られている（たとえば、特許文献１参照）。
このような貨幣処理装置では、一般的に、出金のために準備された貨幣は、金種毎に設けられた出金庫に収納され、入金された貨幣は、出金庫とは別の入金庫に収納される。このようにするのは、入金された貨幣と出金用の貨幣とを区別すると、貨幣処理装置における出納管理が容易になるからである。
【先行技術文献】
【特許文献】
【０００３】
【特許文献１】特開２００２−１６３６９８号公報
【発明の概要】
【発明が解決しようとする課題】
【０００４】
出金庫および入金庫によって、入金された貨幣と出金用の貨幣とを別々に管理する場合には、両替処理が繰り返されると、出金庫内の貨幣が次第に減っていく一方で、入金庫の中身が、入金された貨幣によって増えていく。
そのため、出金庫において、両替が希望されている金種の貨幣がなくなった場合には、入金庫内に当該金種の貨幣があっても、貨幣処理装置の運転を一旦休止させて、当該金種の貨幣を出金庫に補充しなければならない。よって、貨幣処理装置の運転休止までの稼動時間には、出金庫における貨幣の収納量に応じた限界がある。
【０００５】
この発明は、かかる背景のもとでなされたもので、運転休止までの稼動時間を延ばすことができる貨幣処理装置を提供することを目的とする。
【課題を解決するための手段】
【０００６】
請求項１記載の発明は、貨幣が入金され、指定された貨幣を出金する貨幣処理装置であって、金種に応じて複数設けられ、出金のために準備された貨幣を収納するための出金庫と、入金された貨幣を収納するための入金庫と、出金中において出金すべき金種の貨幣が不足する場合には、前記入金庫から当該金種の貨幣を不足分だけ引き出して出金する出金手段と、を含むことを特徴とする、貨幣処理装置である。
【０００７】
請求項２記載の発明は、前記入金庫は、異なる金種の貨幣を混在状態で収納することができ、前記出金手段によって所望の金種の貨幣が前記入金庫から引き出されるまでの間、前記入金庫内の他の金種の貨幣を前記出金庫に一時的に退避させる退避手段を含むことを特徴とする、請求項１記載の貨幣処理装置である。
請求項３記載の発明は、前記入金庫には、貨幣が金種に応じて分けて収納されることを特徴とする、請求項１記載の貨幣処理装置である。
【０００８】
請求項４記載の発明は、貨幣が入金され、指定された貨幣を出金する貨幣処理装置であって、金種に応じて複数設けられ、出金のために準備された貨幣を収納するための出金庫と、入金された貨幣を収納するための入金庫と、入出金動作の行われていない待機中において、前記出金庫における貨幣の有り高が所定量未満であれば、当該出金庫の貨幣と同一金種の貨幣を前記入金庫から引き出して当該出金庫に補充する補充手段と、を含むことを特徴とする、貨幣処理装置である。
【０００９】
請求項５記載の発明は、前記入金庫は、異なる金種の貨幣を混在状態で収納することができ、前記補充手段によって所望の金種の貨幣が前記入金庫から引き出されるまでの間、前記入金庫内の他の金種の貨幣を前記出金庫に一時的に退避させる退避手段を含むことを特徴とする、請求項４記載の貨幣処理装置である。
請求項６記載の発明は、前記入金庫には、貨幣が金種に応じて分けて収納されることを特徴とする、請求項４記載の貨幣処理装置である。
【００１０】
請求項７記載の発明は、前記入金庫から貨幣が引き出された場合に、引き出された貨幣と同額の貨幣を前記出金庫から引き出して前記入金庫に払い込む機内両替手段を含むことを特徴とする、請求項１〜６のいずれかに記載の貨幣処理装置である。
【発明の効果】
【００１１】
請求項１記載の発明によれば、貨幣処理装置では、金種に応じて複数設けられた出金庫に、出金のために準備された貨幣が金種毎に収納され、入金庫に、入金された貨幣が収納される。
そして、貨幣処理装置では、出金動作中において出金すべき金種の貨幣が不足する場合には、出金手段が、入金庫から当該金種の貨幣を不足分だけ引き出して出金する。これにより、出金中に、出金庫において指定された金種の貨幣がなくなっても、入金庫に当該金種の貨幣がある限り、出金庫に代わって入金庫から当該金種の貨幣を出金することで出金を継続できる。そのため、入金庫に当該金種の貨幣がある間は、出金庫への当該金種の貨幣の補充のために貨幣処理装置の運転を休止せずに済む。
【００１２】
この結果、貨幣処理装置の運転休止までの稼動時間を延ばすことができる。
請求項２記載の発明によれば、入金庫は、異なる金種の貨幣を混在状態で収納することができる。この場合、出金手段が所望の金種の貨幣を入金庫から不足分だけ引き出す際、他の金種の貨幣を入金庫に残した状態で、当該所望の金種の貨幣だけを入金庫から引き出すのは困難である。
【００１３】
しかし、出金手段によって所望の金種の貨幣が入金庫から引き出されるまでの間、退避手段が、入金庫内の他の金種の貨幣を出金庫に一時的に退避させる。そのため、入金庫に異なる金種の貨幣が混在状態で収納されていても、出金手段は、最終的には当該所望の金種の貨幣を入金庫から不足分だけ引き出すことができる。
ここで、退避手段が、貨幣を出金庫に一時的に退避させることから、出金庫に退避させられた貨幣は、最終的には入金庫に戻されるので、出金庫の貨幣と混在したまま放置されることはない。
【００１４】
請求項３記載の発明によれば、入金庫には、貨幣が金種に応じて分けて収納されるので、出金手段は、所望の金種の貨幣を入金庫から円滑に引き出すことができる。
請求項４記載の発明によれば、貨幣処理装置では、金種に応じて複数設けられた出金庫に、出金のために準備された貨幣が金種毎に収納され、入金庫に、入金された貨幣が収納される。
【００１５】
そして、貨幣処理装置では、入出金動作の行われていない待機中において、出金庫における貨幣の有り高が所定量未満であれば、補充手段が、当該出金庫の貨幣と同一金種の貨幣を入金庫から引き出して当該出金庫に補充する。これにより、入金庫に当該金種の貨幣がある限り、待機中に当該金種の貨幣を入金庫から出金庫に補充することで、出金庫からの当該金種の貨幣の出金が引き続き可能となる。そのため、入金庫に当該金種の貨幣がある間は、出金庫へ当該金種の貨幣を外部から補充するために貨幣処理装置の運転を休止せずに済む。
【００１６】
この結果、貨幣処理装置の運転休止までの稼動時間を延ばすことができる。
請求項５記載の発明によれば、入金庫は、異なる金種の貨幣を混在状態で収納することができる。この場合、補充手段が所望の金種の貨幣を入金庫から引き出す際、他の金種の貨幣を入金庫に残した状態で、当該所望の金種の貨幣だけを入金庫から引き出すのは困難である。
【００１７】
しかし、補充手段によって所望の金種の貨幣が入金庫から引き出されるまでの間、退避手段が、入金庫内の他の金種の貨幣を出金庫に一時的に退避させる。そのため、入金庫に異なる金種の貨幣が混在状態で収納されていても、補充手段は、最終的には当該所望の金種の貨幣を入金庫から引き出して出金庫に補充することができる。
ここで、退避手段が、貨幣を出金庫に一時的に退避させることから、当該出金庫に退避させられた貨幣は、最終的には入金庫に戻されるので、当該出金庫の貨幣と混在したまま放置されることはない。
【００１８】
請求項６記載の発明によれば、入金庫には、貨幣が金種に応じて分けて収納されるので、補充手段は、所望の金種の貨幣を入金庫から円滑に引き出すことができる。
請求項７記載の発明によれば、出金動作中における不足分の貨幣の出金や出金庫への貨幣の補充のために入金庫から貨幣が引き出された場合に、機内両替手段が、引き出された貨幣と同額の貨幣を出金庫から引き出して入金庫に払い込む。つまり、入金庫から貨幣が引き出された場合には、貨幣処理装置内において、入金庫から引き出された貨幣と出金庫の貨幣との両替（機内両替）が行われる。
【００１９】
そのため、入金庫内の貨幣の総額は、入金庫から貨幣が引き出される前後で変わらないので、貨幣処理装置における出納管理が容易になる。
【図面の簡単な説明】
【００２０】
【図１】図１は、この発明の一実施形態に係る貨幣処理装置１を正面側から見た斜視図である。
【図２】図２は、貨幣処理装置１の要部の図解的な縦断面構造図である。
【図３】図３は、貨幣処理装置１の制御回路ブロック図であり、この発明の特徴と関連する部分のみを示すブロック図である。
【図４】図４は、貨幣処理装置１において行われる制御動作の一例を示すフローチャートである。
【図５】図５は、入金庫３３Ｂの紙幣による補充または出金および機内両替を説明するための図である。
【図６Ａ】図６Ａは、入金庫３３Ｂの紙幣による補充および機内両替を説明するための貨幣処理装置１の要部模式図である。
【図６Ｂ】図６Ｂは、入金庫３３Ｂの紙幣による補充および機内両替を説明するための貨幣処理装置１の要部模式図である。
【図６Ｃ】図６Ｃは、入金庫３３Ｂの紙幣による補充および機内両替を説明するための貨幣処理装置１の要部模式図である。
【図６Ｄ】図６Ｄは、入金庫３３Ｂの紙幣による補充および機内両替を説明するための貨幣処理装置１の要部模式図である。
【図６Ｅ】図６Ｅは、入金庫３３Ｂの紙幣による補充および機内両替を説明するための貨幣処理装置１の要部模式図である。
【図７Ａ】図７Ａは、入金庫３３Ｂの紙幣による出金および機内両替を説明するための貨幣処理装置１の要部模式図である。
【図７Ｂ】図７Ｂは、入金庫３３Ｂの紙幣による出金および機内両替を説明するための貨幣処理装置１の要部模式図である。
【図７Ｃ】図７Ｃは、入金庫３３Ｂの紙幣による出金および機内両替を説明するための貨幣処理装置１の要部模式図である。
【図７Ｄ】図７Ｄは、入金庫３３Ｂの紙幣による出金および機内両替を説明するための貨幣処理装置１の要部模式図である。
【図７Ｅ】図７Ｅは、入金庫３３Ｂの紙幣による出金および機内両替を説明するための貨幣処理装置１の要部模式図である。
【発明を実施するための形態】
【００２１】
以下には、図面を参照して、この発明の実施形態について具体的に説明する。
図１は、この発明の一実施形態に係る貨幣処理装置１を正面側から見た斜視図である。
図１に示す貨幣処理装置１は、銀行等に設置される両替機である。そのため、貨幣処理装置１には、両替される貨幣が入金され、顧客によって指定された金種の貨幣が貨幣処理装置１から出金される。
【００２２】
貨幣処理装置１は、中空のボックス状の装置本体２と、装置本体２内に収容されるカード処理ユニット３、バラ硬貨処理ユニット４、包装硬貨処理ユニット５、紙幣処理ユニット６およびレシート処理ユニット７とを備えている。
装置本体２では、その前側上部がＬ字状に切り欠かれていて、装置本体２の前側面は、略垂直に延びる垂直面８と、垂直面８の上端から後側へ略水平に延びる水平面９と、水平面９の後端から後上側へ少し傾斜して延びる傾斜面１０とを含んでいる。
【００２３】
傾斜面１０では、その幅方向略中央位置に、タッチパネルディスプレイを有する操作部１１が設けられ、操作部１１の左隣には、貨幣処理装置１が取扱中であるか否かを表示する取扱表示部１２と、バラ硬貨取出口１３とが、上からこの順番で設けられている。バラ硬貨取出口１３は、専用のシャッター１４によって開閉される。傾斜面１０における操作部１１の右隣には、顧客のカードを受け入れるカード挿入口１５と、レシートが発行されるレシート発行口１６とが、上からこの順番で設けられている。
【００２４】
水平面９では、左側に包装硬貨取出口１７が形成され、右側に紙幣入出金口１８が形成されている。包装硬貨取出口１７は、専用のシャッター１９によって開閉され、紙幣入出金口１８は、専用のシャッター２０によって開閉される。
垂直面８の右側上部には、貨幣処理装置１内に入金された貨幣に混ざっていた異物を返却するための異物返却口２１が形成されている。
【００２５】
カード処理ユニット３は、カード挿入口１５の後側に設けられている。カード処理ユニット３は、カード挿入口１５に挿入された顧客のカードから必要な情報を読み取る。
バラ硬貨処理ユニット４は、バラ硬貨取出口１３の後側に設けられている。バラ硬貨処理ユニット４は、バラ硬貨を収納し、両替の際、必要に応じた額のバラ硬貨をバラ硬貨取出口１３に払い出す。
【００２６】
包装硬貨処理ユニット５は、所定数ごとにまとまった状態で包装された硬貨（包装硬貨）を収納している。包装硬貨処理ユニット５は、両替の際、必要に応じた額に相当する個数の包装硬貨を包装硬貨取出口１７に払い出す。
紙幣処理ユニット６は、紙幣を金種毎に収納していて、両替の際、必要な額に相当する金種および枚数の紙幣を紙幣入出金口１８に払い出すとともに、紙幣入出金口１８に払い込まれた顧客の紙幣を金種混合で収納する。
【００２７】
レシート処理ユニット７は、レシート発行口１６の後側に設けられていて、両替に係る明細を記載したレシートをレシート発行口１６から発行する。
貨幣処理装置１での両替に係る動作の概要を説明すると、顧客は、まず、操作部１１を操作して、自分の紙幣をどの金種の貨幣（紙幣および硬貨の少なくともいずれか）に両替するのかを選択する。この際、顧客は、自分のカードをカード挿入口１５に挿入して、今回の両替取引に係る履歴をカードや貨幣処理装置１に記録させてもよい。
【００２８】
顧客が両替したい金種を選択した後、シャッター２０が開き、顧客は、両替したい自分の紙幣を紙幣入出金口１８に投入する。
その後、シャッター２０が閉まり、貨幣処理装置１内において両替処理が行われる。具体的には、入金された顧客の紙幣が紙幣処理ユニット６に回収されるとともに、顧客が両替を希望する金種の貨幣が、バラ硬貨処理ユニット４、包装硬貨処理ユニット５および紙幣処理ユニット６の少なくともいずれかから払い出される。払い出された貨幣を顧客が受け取ると、両替に係る取引が完了する。なお、取引完了の際、今回の両替に係る明細を記載したレシートがレシート発行口１６から発行される。
【００２９】
図２は、貨幣処理装置１の要部の図解的な縦断面構造図である。
図２では、紙幣処理ユニット６と、装置本体２において紙幣処理ユニット６に関連する部分とを抜き出して示している。
図２における左側が装置本体２の正面（前面）であり、その反対側（右側）が装置本体２の背面（後面）である。
【００３０】
図２における装置本体２の左上側に、前述した紙幣入出金口１８が設けられている。図２では、紙幣入出金口１８が、専ら紙幣が入金される紙幣入金口１８Ａと、専ら紙幣が出金される紙幣出金口１８Ｂとに分けられている。
装置本体２の後面には、装置本体２内部に後方からアクセスするための本体開口部２５が形成されていて、本体開口部２５は、図示しない後扉によって開閉される。この後扉を開くと、装置本体２の内部が本体開口部２５から後側へ露出される。
【００３１】
ここで、紙幣処理ユニット６は、図２では、横方向（貨幣処理装置１の前後方向）に長手である。
紙幣処理ユニット６は、ユニット本体３２と、複数（ここでは５つ）のメイン収納庫３３と、３つのサブ収納庫２７とを含んでいる。
ユニット本体３２は、横方向（前後方向）に長手の中空体である。
【００３２】
５つのメイン収納庫３３は、前後に並んで配置されている。各メイン収納庫３３は、上下に長手の中空のボックス状であり、内部に紙幣を収納することができる。メイン収納庫３３は、ユニット本体３２に対して着脱可能である。メイン収納庫３３は、ユニット本体３２の内部空間に上から挿入されることで、ユニット本体３２に装着される。そして、この状態のメイン収納庫３３を上に引き上げることで、メイン収納庫３３をユニット本体３２から離脱させることができる。
【００３３】
３つのサブ収納庫２７は、縦に並んでおり、ユニット本体３２の後端部に対して後側から取り付けられていて、ユニット本体３２と一体化されている。各サブ収納庫２７の後面には、収納庫開口部２８が形成されていて、収納庫開口部２８を開閉する収納庫扉２９が設けられている。収納庫開口部２８は、サブ収納庫２７の内部を本体開口部２５側（後側）へ露出させる。
【００３４】
装置本体２の後扉（図示せず）を後側へ開いて本体開口部２５を開放すると、紙幣処理ユニット６が本体開口部２５から後方へ露出される。このとき、紙幣処理ユニット６では、後端に位置する各サブ収納庫２７が、本体開口部２５から後方へ露出される。そのため、貨幣処理装置１が稼動中であっても、装置本体２の後面側において、本体開口部２５側に露出された収納庫開口部２８を介して、各サブ収納庫２７に貨幣を装填することができる。
【００３５】
また、本体開口部２５を開放すれば、紙幣処理ユニット６を後側へ引き出すことができる。紙幣処理ユニット６を装置本体２から離脱させた状態で、ユニット本体３２に対してメイン収納庫３３を着脱させることができる。逆に、引き出した紙幣処理ユニット６を装置本体２内部へ押し込めば、紙幣処理ユニット６を装置本体２に装着することができる。
また、装置本体２には、装填リジェクト部４０および出金リジェクト部４１という２つの収容室が設けられている。
【００３６】
そして、装置本体２内には、取込経路４２と、搬送路４３と、取出経路４４と、識別部４５（リジェクト貨幣検出手段）とが内蔵されている。
取込経路４２は、紙幣入金口１８Ａに入金された紙幣を１枚ずつ取り込み、搬送路４３へと送るための経路である。
搬送路４３は、取込経路４２から送られた紙幣を搬送するためのものであって、上下に扁平なループ状をなしており、搬送路４３内の紙幣は、紙幣処理ユニット６の５つのメイン収納庫３３の上方で、循環するように搬送される。搬送路４３内の紙幣の搬送方向は、入金時や出金時で異なっており、図２における時計回りと反時計回りの方向である。
【００３７】
取出経路４４は、搬送路４３内の紙幣を紙幣出金口１８Ｂへ送るための経路である。
識別部４５は、搬送路４３の上側部分の途中に配置されていて、搬送路４３を搬送される紙幣の金種、正損、真偽等を識別する。つまり、識別部４５は、リジェクトすべき紙幣（リジェクト紙幣）を検出する。
搬送路４３の下側部分には、分岐路４６、４７、４８、４９、５０、５１の各一端が、搬送路４３内の紙幣の（ここでは、反時計回りの）搬送方向における上流側から、この順番で接続されている。
【００３８】
分岐路４６の他端は、図２における最も左（前）側のメイン収納庫３３の内部につながっている。分岐路４７の他端は、図２における左側から２番目のメイン収納庫３３の内部につながっている。分岐路４８の他端は、図２における左側から３番目のメイン収納庫３３の内部につながっている。分岐路４９の他端は、図２における左側から４番目のメイン収納庫３３の内部につながっている。分岐路５０の他端は、図２における最も右（後）側のメイン収納庫３３の内部につながっている。
【００３９】
分岐路５１の他端は、途中で分岐することによって、３つのサブ収納庫２７のそれぞれの内部につながっている。
搬送路４３の上側部分において、搬送路４３内の識別部４５の右（後）側には、分岐路５２の一端が接続されている。分岐路５２の他端は、装填リジェクト部４０につながっている。
【００４０】
取込経路４２の途中には、分岐路５３の一端がつながっている。分岐路５３の他端は、出金リジェクト部４１につながっている。
また、装置本体２には、取込経路４２や搬送路４３内の紙幣を搬送するローラー５４が設けられている。各メイン収納庫３３には、分岐路４６、４７、４８、４９、５０における対応する分岐路からの紙幣をメイン収納庫３３内部に取り込んだり、メイン収納庫３３内の紙幣を当該分岐路へ送り出したりするためのローラー５５が設けられている。各サブ収納庫２７には、分岐路５１からの紙幣をサブ収納庫２７内部に取り込んだり、サブ収納庫２７内の紙幣を分岐路５１へ送り出したりするためのローラー５６が設けられている。
【００４１】
そして、搬送路４３と分岐路４６〜５２のそれぞれとの接続位置には、分岐爪５７が設けられており、分岐爪５７を切り換えることによって、搬送路４３内の紙幣を所望の分岐路４６〜５２へ搬送することができる。また、分岐爪５７は、取込経路４２と搬送路４３との接続位置、取込経路４２と分岐路５３との接続位置、および、取出経路４４と搬送路４３との接続位置のそれぞれにも設けられている。
【００４２】
ここで、５つ並んだメイン収納庫３３のうち、３つのメイン収納庫３３は、出金のために準備された紙幣が収納される出金庫３３Ａとされ、別の１つのメイン収納庫３３は、入金された紙幣が収納される入金庫３３Ｂとされ、残りの１つのメイン収納庫３３は、一時保留部（略して「一保（いちほ）」）３３Ｃとされる。図５では、３つの出金庫３３Ａ、一保３３Ｃ、入金庫３３Ａが、右側（前側）からこの順番で並んでいる。
【００４３】
３つの出金庫３３Ａは、たとえば、千円札、五千円札、二千円札に応じて区別されていて、いずれかの出金庫３３Ａには、千円札、五千円札および二千円札のいずれかの所定の金種の紙幣が収納される。つまり、出金庫３３Ａは、金種に応じて複数設けられており、各出金庫３３Ａには、出金のために準備された所定の金種の紙幣が収納される。
なお、図２では、出金庫３３Ａは３つ設けられているが、出金庫３３Ａの数は、任意で設定されるので、複数であれば、４つ以上であってもよい。出金庫３３Ａが４つ以上あれば、４つ目以降の出金庫３３Ａには、千円札、五千円札および二千円札のいずれかの金種の紙幣が収納され、これにより、所定の金種の紙幣が２つ以上の出金庫３３Ａに収納されることになる。また、それぞれの金種の新券を設定、収納することもできる。
【００４４】
貨幣処理装置１での紙幣に関する両替動作について説明すると、顧客の紙幣は、紙幣入金口１８Ａに払い込まれることで入金され、その後、取込経路４２を通って搬送路４３内を搬送される。その際、入金された紙幣は、搬送路４３によって時計回りに搬送され、識別部４５で識別される。識別部４５で識別された紙幣のうち、識別部４５によってリジェクト紙幣であると識別された紙幣は、一保３３Ｃ上を通過して搬送路４３から取出経路４４へと搬送され、紙幣出金口１８Ｂから顧客に返却される。
【００４５】
識別部４５によってリジェクト紙幣でないと識別された紙幣は、分岐路４９を経て一保３３Ｃに一時保留される。
その後、顧客によって指定された金種の紙幣が、一保３３Ｃに一時保留されている紙幣の総額分だけ、対応する出金庫３３Ａから取り出されて搬送路４３を搬送され、取出経路４４へと搬送された後に、紙幣出金口１８Ｂから顧客に出金される。これに応じて、一保３３Ｃの紙幣は、入金庫３３Ｂに収納され、以上で、紙幣に関する一連の両替動作が完了する。つまり、貨幣処理装置１は、入金された紙幣を、出金庫３３Ａ（メイン収納庫３３）の紙幣で両替することができる。
【００４６】
３つの出金庫３３Ａのそれぞれには、決まった金種の紙幣しか収納されないが、入金庫３３Ｂは、１つしかないことから、両替処理が繰り返されると、入金庫３３Ｂには、異なる金種の紙幣が混在状態で収納される。
ここで、出金庫３３Ａから取り出されて搬送路４３を搬送されている出金途中の紙幣は、識別部４５を通過する。その際、この紙幣がリジェクト紙幣であるか否かが識別部４５によって識別される。識別部４５によってリジェクト紙幣であると識別された出金途中の紙幣は、搬送路４３から取込経路４２および分岐路５３を搬送され、出金リジェクト部４１に収納される。出金リジェクト部４１のリジェクト紙幣は、係員によって回収される。
【００４７】
また、出金庫３３Ａ内の紙幣がなくなった場合には、前述したように、開放された本体開口部２５から紙幣処理ユニット６が後側へ引き出され、紙幣がなくなった出金庫３３Ａがユニット本体３２から上方へ引き出される。そして、この出金庫３３Ａに、該当する金種の紙幣が補充された後、この出金庫３３Ａがユニット本体３２に再び装着され、紙幣処理ユニット６が装置本体２に装着される（図２参照）。
【００４８】
なお、前述した３つのサブ収納庫２７も、出金庫３３Ａと同様に、千円札、五千円札、二千円札に応じて区別されていて、いずれかのサブ収納庫２７には、千円札、五千円札および二千円札のいずれかの所定の金種の紙幣が収納される。これらのサブ収納庫２７は、出金庫３３Ａの紙幣が所定量未満まで減少したときに、両替中であれば、不足分の金種の紙幣を出金庫３３Ａの代わりに払い出し（出金）し、待機中であれば、当該出金庫３３Ａに紙幣を補充する。つまり、各サブ収納庫２７は、出金庫３３Ａのバックアップ用として用いることができる。
【００４９】
図３は、貨幣処理装置１の制御回路ブロック図であり、この発明の特徴と関連する部分のみを示すブロック図である。
図３に示すように、貨幣処理装置１には、マイクロコンピュータ等で構成された制御部７０（出金手段、退避手段、補充手段、機内両替手段）が備えられている。制御部７０は、貨幣処理装置１の動作を制御する。特に、制御部７０は、入金された紙幣と引き換えに出金（両替）される金種の紙幣の必要枚数を算出して、どの出金庫３３Ａから紙幣を出金するのかを決定する。
【００５０】
また、制御部７０には、前述した識別部４５および分岐爪５７と、搬送モータ７１と残量センサ７２とが電気的に接続されている。なお、厳密には、制御部７０には、分岐爪５７を切り換えるモータ（図示せず）が接続されている。
搬送モータ７１は、前述したローラー５４，５５，５６（図２参照）を回転させる。残量センサ７２は、各メイン収納庫３３（図２参照）内の紙幣の有り高を検出する。
【００５１】
制御部７０は、搬送モータ７１を駆動することによってローラー５４，５５，５６（図２参照）を回転させ、紙幣を貨幣処理装置１内で搬送する。この際、制御部７０が各分岐爪５７を動かすことによって、紙幣の搬送先が切り換えられる。そして、制御部７０は、識別部４５の識別結果によって、リジェクト紙幣の有無や紙幣の金種等を把握する。また、制御部７０は、残量センサ７２の検出結果によって、各メイン収納庫３３（特に出金庫３３Ａ）における紙幣の有り高を把握する。
【００５２】
図４は、貨幣処理装置１において行われる制御動作の一例を示すフローチャートである。
次に、図４を参照して、貨幣処理装置１において制御部７０が行う制御動作の一例を説明する。ここでの制御動作は、いずれかの出金庫３３Ａ内の有り高が所定量未満まで減ったときに行われる。ここでの所定量未満とは、補充が必要な程度に少ない（いわゆるニアエンプティに相当する）量である。
【００５３】
まず、貨幣処理装置１において両替が行われていない待機中の場合（ステップＳ１でＹＥＳ）、制御部７０は、有り高が所定量未満まで減少した出金庫３３Ａがあるか否かを確認する（ステップＳ２）。
有り高が所定量未満まで減少した出金庫３３Ａがあれば（ステップＳ２でＹＥＳ）、制御部７０は、この出金庫３３Ａが収納する紙幣と同一金種の紙幣を入金庫３３Ｂから引き出して当該出金庫３３Ａに補充し、機内両替を実施する（ステップＳ３）。
【００５４】
補充に関し、具体的には、制御部７０は、入金庫３３Ｂ内の紙幣を、分岐路５０側の紙幣から順に搬送路４３へ引き出して、識別部４５に通す（図２参照）。これにより、識別部４５を通過した紙幣の金種が把握されるので、有り高が所定量未満まで減少した出金庫３３Ａの紙幣と同一金種の紙幣が識別部４５を通れば、その紙幣は、当該出金庫３３Ａに搬送されて補充される。一方、入金庫３３Ｂから搬送路４３に引き出されて識別部４５を通った紙幣には、補充に用いたい所望の金種以外の金種の紙幣がある。この紙幣は、一保３３Ｃ等に一時保留されて、補充完了後に入金庫３３Ｂに戻される（図２参照）。
【００５５】
機内両替とは、入金庫３３Ｂから所定金種の紙幣が引き出された場合に、引き出された紙幣の総額と同額の別金種の紙幣を出金庫３３Ａから必要枚数だけ引き出して入金庫３３Ｂに払い込むことである。これによって、補充前後で、３つの出金庫３３Ａ全体および入金庫３３Ｂのそれぞれにおいて、収容する紙幣の総額が変化しない。詳細については、以降で具体的に説明する。
【００５６】
一方、貨幣処理装置１において待機中でない両替中の場合（ステップＳ１でＮＯ）、制御部７０は、出金すべき金種のうち、不足する金種があるか否かを確認する（ステップＳ４）。
不足する金種がなければ（ステップＳ４でＮＯ）、両替による出金は問題なく行われる。
【００５７】
不足する金種があっても（ステップＳ４でＹＥＳ）、制御部７０は、当該金種について不足分の紙幣を、入金庫３３Ｂから引き出して出金し、前述した機内両替を実施する（ステップＳ５）。詳細については、以降で具体的に説明する。
図５は、入金庫３３Ｂの紙幣による補充または出金および機内両替を説明するための図である。図６Ａ〜図７Ｅは、入金庫３３Ｂの紙幣による補充または出金および機内両替を説明するための貨幣処理装置１の要部模式図である。
【００５８】
図５を参照して、前述したステップＳ３およびステップＳ５（図４参照）の具体的な処理内容の一例を説明する。
ここでは、３つの出金庫３３Ａには、二千円札を収納する第１出金庫３３Ａと、五千円札を収納する第２出金庫３３Ａと、千円札を収納する第３出金庫３３Ａとがあるとする。
そして、前述したステップＳ３（図４参照）に関し、たとえば、待機中において、千円札が所定量未満まで減少した第３出金庫３３Ａに入金庫３３Ｂの千円札を５枚補充するとする。
【００５９】
第１段階では、初期段階として、第３出金庫３３Ａには、所定量未満のＡ枚の千円札が収納されていて、第２出金庫３３Ａには、Ｂ枚の五千円札が収納されていて、第１出金庫３３Ａには、Ｃ枚の二千円札が収納されていて、入金庫３３Ｂには、異なる金種の紙幣が全部でＤ枚収納されている。一方、一保３３Ｃには、紙幣は１枚も収納されていないので、その収納枚数は０（零）枚である。
【００６０】
第２段階では、制御部７０は、第３出金庫３３Ａ内のＡ枚の千円札を全て一保３３Ｃに移す（図６Ａの太線矢印参照）。
第３段階では、制御部７０は、入金庫３３Ｂ内の紙幣を全て抜き出し、その際、五枚の千円札を一保３３Ｃに収納し、残りの紙幣は、第３出金庫３３Ａに移す（図６Ｂの太線矢印参照）。その結果、第３出金庫３３Ａには、異なる金種の紙幣がＤ−５枚あり、一保３３Ｃには、千円札がＡ＋５枚あり、入金庫３３Ｂには、紙幣が１枚もない。
【００６１】
なお、図５の表において、各欄の数字の後に付いた括弧書きの漢字は、当該数字がどの金種の紙幣の枚数であるかを示している。つまり、５（千）は、千円札が５枚ということを意味しており、１（五千）は、五千札が１枚ということを意味している。
第４段階では、制御部７０は、第２出金庫３３Ａから五千円札を１枚取り出して、入金庫３３Ｂに移す（図６Ｃの太線矢印参照）。
【００６２】
第５段階では、制御部７０は、今まで第３出金庫３３Ａにあった全ての紙幣を入金庫３３Ｂに移す（図６Ｄの太線矢印参照）。その結果、第３出金庫３３Ａには、紙幣が１枚もなく、入金庫３３Ｂには、第２出金庫３３Ａからの五千円札１枚と、今まで第３出金庫３３Ａにあった異なる金種の紙幣Ｄ−５枚との合計（Ｄ−５（千）＋１（五千）枚）が収納される。
【００６３】
最後の第６段階では、制御部７０は、一保３３Ｃにあった全ての千円札を第３出金庫３３Ａに移し、第３出金庫３３Ａには、Ａ＋５枚の千円札が収納される（図６Ｅの太線矢印参照）。
以上の結果、入金庫３３Ｂの５枚の千円札が第３出金庫３３Ａに補充され、代わりに、第２出金庫３３Ａの五千円が入金庫３３Ｂに移されて機内両替が達成される。機内両替は、第３段階から第４段階までの処理を指す。機内両替によって、入金庫３３Ｂ内の紙幣の総額は、入金庫３３Ｂから紙幣が引き出される前後で変わらないので、貨幣処理装置１における出納管理が容易になる。
【００６４】
このように、貨幣処理装置１では、両替（入出金動作）の行われていない待機中において、出金庫３３Ａにおける紙幣の有り高が所定量未満であれば、制御部７０が、当該出金庫３３Ａの紙幣と同一金種の紙幣を入金庫３３Ｂから引き出して当該出金庫３３Ａに補充する。これにより、入金庫３３Ｂに当該金種の紙幣がある限り、待機中に当該金種の紙幣を入金庫３３Ｂから出金庫３３Ａに補充することで、出金庫３３Ａからの当該金種の紙幣の出金が引き続き可能となる。そのため、入金庫３３Ｂに当該金種の紙幣がある間は、出金庫３３Ａへ当該金種の紙幣を外部から補充するために貨幣処理装置１の運転を休止せずに済む。この結果、貨幣処理装置１の運転休止までの稼動時間を延ばすことができる。なお、紙幣を外部から補充するということは、紙幣処理ユニット６を装置本体２から引き出して、さらに出金庫３３Ａをユニット本体３２から引き出して当該出金庫３３Ａに紙幣を補充するということである（図２参照）。
【００６５】
また、第３段階および第４段階において、制御部７０は、所望の金種の紙幣（ここでは千円札）が入金庫３３Ｂから引き出されるまでの間、入金庫３３Ｂ内の他の金種の紙幣を第３出金庫３３Ａに一時的に退避させている。そのため、入金庫３３Ｂに異なる金種の紙幣が混在状態で収納されていても、制御部７０は、最終的には当該所望の金種の紙幣を入金庫３３Ｂから引き出して第３出金庫３３Ａに補充することができる（第６段階）。そして、当該第３出金庫３３Ａに退避させられた紙幣は、最終的には入金庫３３Ｂに戻されるので（第５段階）、当該第３出金庫３３Ａの紙幣と混在したまま放置されることはない。
【００６６】
なお、第３段階において、入金庫３３Ｂ内の紙幣を全て第３出金庫３３Ａに退避させる必要はなく、補充する金種の紙幣が必要数引き出されるまでの間に引き出された別の金種の紙幣だけが退避されて、残りの紙幣は入金庫３３Ｂに留まっていても構わない。
次に、前述したステップＳ５（図４参照）に関し、たとえば、両替中において、第３出金庫３３Ａに千円札が３枚しかない場合に、顧客から入金された五千円札を千円札５枚に両替するとする。
【００６７】
第１段階では、初期段階として、第３出金庫３３Ａには、３枚の千円札が収納されていて、第２出金庫３３Ａには、Ｂ枚の五千円札が収納されていて、第１出金庫３３Ａには、Ｃ枚の二千円札が収納されていて、入金庫３３Ｂには、異なる金種の紙幣が全部でＤ枚収納されている。一方、一保３３Ｃには、顧客から入金された５千円札が１枚収納（一時保留）されている。
【００６８】
第２段階では、制御部７０は、第３出金庫３３Ａにある千円札３枚を出金し、次に、入金庫３３Ｂ内の紙幣を、分岐路５０側のものから順に搬送路４３に取り出す。その際、入金庫３３Ｂ内にあった千円札２枚を出金する（図７Ａの左上の太線矢印参照）。この場合、入金庫３３Ｂ内にあった千円札２枚が遅れて紙幣出金口１８Ｂに届けられてから、シャッター２０が開いて５枚の千円札が顧客に払い出される（図２参照）。
【００６９】
これにより、顧客に対して５枚の千円札が払い出され、顧客と貨幣処理装置１との間での両替は完了する。ここで、入金庫３３Ｂ内にあった千円札２枚を出金するまでの間に入金庫３３Ｂから取り出された異なる金種のＸ枚の紙幣は、３枚の千円札が紙幣出金口１８Ｂに移されることで空になった第３出金庫３３Ａに搬送される（図７Ａの左下の太線矢印参照）。そのため、入金庫３３Ｂ内にあった千円札２枚が紙幣出金口１８Ｂに移された時点で、入金庫３３Ｂには、異なる金種の紙幣が、Ｄ−Ｘ−２（千）枚ある。
【００７０】
第３段階では、制御部７０は、入金庫３３Ｂ内の全ての紙幣と、一保３３Ｃの全ての紙幣（１枚の五千円）とを抜き出して第３出金庫３３Ａに移す（図７Ｂの太線矢印参照）。その結果、第３出金庫３３Ａには、異なる金種の紙幣が１（５千）＋Ｄ−２（千）枚あり、入金庫３３Ｂおよび一保３３Ｃには、紙幣が１枚もない。
第４段階では、制御部７０は、第２出金庫３３Ａから五千円札を１枚取り出して、入金庫３３Ｂに移す（図７Ｃの太線矢印参照）。ここでは、前述した機内両替の一環として、２枚の千円札を立て替えた入金庫３３Ｂに、第２出金庫３３Ａの五千円札が１枚渡されるのだが、３千円分余分に入金庫３３Ｂに渡っている。そのため、以降では、余分に入金庫３３Ｂに渡った３千円を出金庫３３Ａに返す処理が行われる。
【００７１】
第５段階では、制御部７０は、今まで第３出金庫３３Ａにあった紙幣を取り出す。そして、これらの紙幣の中から、３枚の千円札を一保３３Ｃに収納し、それまでに第３出金庫３３Ａから引き出したＹ枚の異なる金種の紙幣を入金庫３３Ｂに移す（図７Ｄの太線矢印参照）。この時点で、第３出金庫３３Ａには、異なる金種の紙幣が１（５千）＋Ｄ−２（千）−３（千）−Ｙ枚あり、一保３３Ｃには、千円札が３枚あり、入金庫３３Ｂには、１枚の五千円札と異なる金種のＹ枚の紙幣とがある。
【００７２】
最後の第６段階では、制御部７０は、第３出金庫３３Ａにある全ての紙幣を入金庫３３Ｂに移し、代わりに、一保３３Ｃににあった全て（３枚）の千円札を第３出金庫３３Ａに移す（図７Ｅの太線矢印参照）。
以上の結果、顧客が入金した１枚の５千円札が入金庫３３Ｂに収納されるとともに、この五千円札と両替するために第３出金庫３３Ａの代わりに入金庫３３Ｂが出金した２枚の千円札と、入金庫３３Ｂ内の別の３枚の千円札とが、第２出金庫３３Ａの１枚の五千円によって機内両替される。機内両替は、第４段階から第６段階までの処理を指す。機内両替によって、入金庫３３Ｂ内の紙幣の総額は、入金庫３３Ｂから紙幣が引き出される前後で変わらないので、貨幣処理装置１における出納管理が容易になる。
【００７３】
このように、貨幣処理装置１では、両替中（出金動作中）において出金すべき金種の紙幣が不足する場合には、制御部７０が、入金庫３３Ｂから当該金種の紙幣を不足分だけ引き出して出金する。これにより、両替（出金）中に、出金庫３３Ａにおいて指定された金種の紙幣がなくなっても、入金庫３３Ｂに当該金種の紙幣がある限り、出金庫３３Ａに代わって入金庫３３Ｂから当該金種の紙幣を出金することで両替（出金）を継続できる。そのため、入金庫３３Ｂに当該金種の紙幣がある間は、出金庫３３Ａへの当該金種の紙幣の補充のための紙幣処理ユニット６および出金庫３３Ａの着脱のために、貨幣処理装置１の運転を休止せずに済む。この結果、貨幣処理装置１の運転休止までの稼動時間を延ばすことができる。
【００７４】
また、第２段階において、制御部７０は、所望の金種の紙幣（ここでは千円札）が入金庫３３Ｂから引き出されるまでの間、入金庫３３Ｂ内の他の金種の紙幣を第３出金庫３３Ａに一時的に退避させている。そのため、入金庫３３Ｂに異なる金種の紙幣が混在状態で収納されていても、制御部７０は、最終的には当該所望の金種の紙幣を入金庫３３Ｂから不足分だけ引き出すことができる。そして、第３出金庫３３Ａに退避させられた紙幣は、第５段階および第６段階において、最終的には入金庫３３Ｂに戻されるので、第３出金庫３３Ａの紙幣と混在したまま放置されることはない。
【００７５】
また、ステップＳ３およびステップＳ５（図４参照）のいずれの機内両替において、入金庫３３Ｂにおける千円札を出金庫３３Ａ側の五千円札や二千円札と両替するのであれば、入金庫３３Ｂにおける紙幣の収納枚数を減らすことができるので、その分、係員が入金庫３３Ｂから回収する紙幣の枚数が少なくなり、回収にかかる負担を減らすことができる。また、入金庫３３Ｂにおいて、空きが増えるので、その分、顧客から入金される紙幣を受け付けることができ、この点でも、貨幣処理装置１の稼働時間を延ばすことができる。
【００７６】
この発明は、以上の実施形態の内容に限定されるものではなく、請求項記載の範囲内において種々の変更が可能である。
たとえば、前述した実施形態では、出金庫３３Ａに入金庫３３Ｂの紙幣を補充したり、不足分の紙幣を出金庫３３Ａの代わりに入金庫３３Ｂから出金（代替出金）したりしているが、この発明は、紙幣に限らず、硬貨を含む貨幣全般について適用可能である。そのため、バラ硬貨処理ユニット４や包装硬貨処理ユニット５（図１参照）が、出金庫３３Ａおよび入金庫３３Ｂに相当する構成を備えていて、出金庫３３Ａに相当する構成において不足した硬貨を、入金庫３３Ｂに相当する構成に収納された硬貨で補充したり、代替出金したりしても構わない。
【００７７】
また、この発明は、両替機以外に、貨幣の入出金処理を行う貨幣処理装置（ＡＴＭや出納機等）にも適用できる。
また、入金庫３３Ｂには、異なる金種の紙幣を混在状態で収納していたが、入金庫３３Ｂが金種に応じて複数設けられていたり、入金庫３３Ｂの内部が金種に応じて複数の部屋に区画されていたりすれば、入金庫３３Ｂでは金種に応じて分けて紙幣（貨幣）を収納できる。この場合、頻繁に出金や補充に使う金種（たとえば千円札）と、そうでない金種（たとえば一万円札）とに分けて、頻繁に出金や補充に使う金種については、制御部７０は、貨幣を入金庫３３Ｂから円滑に引き出して出金や補充に使用できる。
【００７８】
また、入金庫３３Ｂに入金される紙幣を識別部４５で識別した際に、制御部７０が、紙幣の記番号や金種と、その紙幣が入金庫３３Ｂに収納された順番とを関連付けて管理しているとよい。そうすれば、入金庫３３Ｂから所望の金種の紙幣を取り出して出金または補充する場合に、制御部７０は、該当する紙幣が入金庫３３Ｂのどの位置に収納されているかが分かっているので、その紙幣を速やかに入金庫３３Ｂから取り出せる。
【００７９】
また、制御部７０は、入金庫３３Ｂ内の紙幣の金種および枚数を管理しておくとよい。そうすれば、出金庫３３Ａの紙幣が所定量未満まで減少したときに、制御部７０は、入金庫３３Ｂ内の該当する金種の紙幣で出金または補充ができるか否かを判断できる。制御部７０は、出金または補充できないと判断した場合には、操作部１１（図１参照）等に、その旨を表示して、出金庫３３Ａを装置本体２から引き出して出金庫３３Ａに紙幣を補充することを促す。
【符号の説明】
【００８０】
１      貨幣処理装置
３３Ａ  出金庫
３３Ｂ  入金庫
７０    制御部
【図１】
0005539136.tif 000002
【図２】
0005539136.tif 000003
【図３】
0005539136.tif 000004
【図４】
0005539136.tif 000005
【図５】
0005539136.tif 000006
【図６Ａ】
0005539136.tif 000007
【図６Ｂ】
0005539136.tif 000008
【図６Ｃ】
0005539136.tif 000009
【図６Ｄ】
0005539136.tif 000010
【図６Ｅ】
0005539136.tif 000011
【図７Ａ】
0005539136.tif 000012
【図７Ｂ】
0005539136.tif 000013
【図７Ｃ】
0005539136.tif 000014
【図７Ｄ】
0005539136.tif 000015
【図７Ｅ】
0005539136.tif 000016